(57)【要約】【課題】  各種排水設備における封水を引き込まれるのを防止し、円滑な排水を確保することのできる住宅用排水システムを提供する。【解決手段】  建物の外周基礎４の外側地中に埋設された排水桝５の流入側接続部５１に接続された排水主管３は、縦管を用いずに緩勾配で排水桝５に接続される。具体的には、排水主管３が、例えば硬質塩化ビニル管等のストレートパイプ３０により排水桝５に接続されて、大量の排水が排水主管３に流れ込んでも、管路内が満管になることが防止されるので、管路内には空気芯が確保され、排水設備における封水を引き込むことが防止される。【選択図】  図３
2005147225.tif 000002
【特許請求の範囲】
【請求項１】
建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、
排水主管と排水桝とは、縦管を用いずに緩勾配で接続されていることを特徴とする住宅用排水システム。
【請求項２】
建物内に設置された各種の排水設備に接続された排水枝管が、建物の床下に配設されたヘッダーの複数の流入側接続部にそれぞれ接続され、ヘッダーの流出側接続部に接続された排水主管の下流側端部が、建物の外周基礎の外側地中に埋設された排水桝の流入側接続部に接続されている住宅用排水システムにおいて、
排水主管は、建物の外周基礎の外側で３０°〜７０°のエルボを介して水平面内で管路を曲げ、異形エルボを接続、又は偏芯ブッシュと９０°エルボとを接続させることによって、口径が拡大されるとともに垂直方向へ管路を曲げ、さらに９０°エルボを介して水平方向へ管路を曲げて排水桝へ接続されていることを特徴とする住宅排水システム。
【請求項３】
建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、
排水主管は、排水桝に接続する下流側端部が口径１００ｍｍ〜１５０ｍｍに拡大して形成されていることを特徴とする住宅用排水システム。
【請求項４】
建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、
排水主管における外周基礎の外側近傍部分と、排水桝への流入側接続部近傍部分とが、通気パイプにより連絡されていることを特徴とする住宅用排水システム。
【請求項５】
建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、
排水主管の一部を構成する継手部材が二重管構造とされたことを特徴とする住宅用排水システム。
【請求項６】
排水主管は、排水桝への流入水を排水桝に対して接線方向から流入させるように接続されて、流入水が排水桝内に旋回流を形成しうることを特徴とする請求項１に記載の住宅用排水システム。
【発明の詳細な説明】
【技術分野】
【０００１】
この発明は、各種の排水設備におけるトラップ封水の引き込みを防止する住宅用排水システムに関する。
【背景技術】
【０００２】
従来、住宅等の建物における排水システムでは、台所やトイレ、洗面所などの水回り設備から排出された排水は、排水枝管を通して建物の外側地中に埋設された複数の排水桝にそれぞれ流れ込み、各排水桝を接続する排水本管を経て公共桝に流れ、下水道本管へ排水されていた。
【０００３】
前記排水システムの場合、排水桝及び排水本管が建物の外周基礎と敷地境界との間に埋設されており、近年では宅地の狭小化に伴ってこれらの埋設スペースが狭められ、排水桝や排水本管の配管工事が困難になる傾向にあった。
【０００４】
そこで、本出願人は、前記の問題点を解決すべく特許文献１に開示されているような住宅用排水システムを開発している。この住宅用排水システムでは、建物の床下に、複数の流入側受け口と、一つの流出側受け口を備えたヘッダーが配設されている。このヘッダーの各流入側受け口には、建物内に設置された各種排水設備に接続された排水枝管の流出側端部がそれぞれ接続されている。ヘッダーの流出側受け口には、排水主管の流入側端部が接続され、この排水主管の下流側端部は、建物の外周基礎の外側地中に埋設された排水桝の流入側受け口と接続されている。そして、排水桝は排水本管に接続されて、排水本管の下流側端部が公共桝の流入側端部と接続された構成となっている。
【０００５】
かかる排水システムにより、建物の外周基礎の外側に埋設される排水桝は一つですむこととなり、狭小な敷地においても排水桝等を配設するスペースを確保でき、また、外周基礎に形成する排水主管の貫通孔も一つですむため基礎強度を確保することができる。
【特許文献１】特開２００１−２２０７８９号公報
【発明の開示】
【発明が解決しようとする課題】
【０００６】
ところで一般に、複数本の排水管を接続し、排水を合流させるための排水桝は、建物内の排水設備から勢いよく排水されたり、大量に排水されたりすると、排水管内の空気をともに排水桝へ排出してしまうので、管路内が負圧になり、排水設備に設けられているトラップの封水を引き込むといった封水障害が発生する。かかる封水障害は、排水桝において十分な容積を確保し、大量の排水が流れ込んでも圧力変動を吸収するように構成することで解消することができる。しかしながら、排水桝を大型化するといった解決手段は、排水桝の設置工事に手間がかかるため適当ではなく、前記のように近年の宅地事情によって狭小化した敷地内においては、排水桝を大型化することが物理的に困難であるので、排水桝を大型化することなく、かかる封水障害を解消することが求められる。
【０００７】
本発明は以上のような事情にかんがみてなされたものであり、建物の床下にヘッダーを設けて各種排水設備からの排水を建物外部の排水桝へ接続された排水システムにおいて、封水が引き込まれるのを防止する住宅用排水システムを提供することを目的とする。
【課題を解決するための手段】
【０００８】
前記の課題を解決するため本発明は、建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、排水主管と排水桝とは、縦管を用いずに緩勾配で接続されていることを特徴としている。
【０００９】
この発明により、建物の外周基礎の外側において排水桝５への管路が略水平面内で形成されるので、管路内が満管になることが防止されるとともに管路内の空気芯が確保され、封水を引き込む弊害を起こすことなく円滑に排水することができる。
【００１０】
また、本発明は、建物内に設置された各種の排水設備に接続された排水枝管が、建物の床下に配設されたヘッダーの複数の流入側接続部にそれぞれ接続され、ヘッダーの流出側接続部に接続された排水主管の下流側端部が、建物の外周基礎の外側地中に埋設された排水桝の流入側接続部に接続されている住宅用排水システムにおいて、排水主管が、建物の外周基礎の外側で３０°〜７０°のエルボを介して水平面内で管路を曲げ、異形エルボを接続、又は偏芯ブッシュと９０°エルボとを接続させることによって、口径が拡大されるとともに垂直方向へ管路を曲げ、さらに９０°エルボを介して水平方向へ管路を曲げて排水桝へ接続されていることを特徴としている。
【００１１】
この発明によれば、まず、排水主管が建物の外周基礎の外側で３０°〜７０°のエルボによって水平面内で管路を曲げることで、排水は管路内の曲がり方向外側に管路をとるため、管路内で空気芯が確保され満管になるのが防がれる。そして、その排水が口径の拡大された管路内を流れて排水桝へ接続されることになるので、排水は外周基礎の外側で旋回方向の流れ保持した状態のまま縦管路へ流れ込み、管路内に空気芯を確保したまま排水桝へ導かれて、封水を引き込むのを防止することができる。
【００１２】
また、本発明は、建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、排水主管は、排水桝に接続する下流側端部が口径１００ｍｍ〜１５０ｍｍに拡大して形成されていることを特徴としている。
【００１３】
この発明によれば、排水主管の排水桝に接続する下流側端部を口径１００ｍｍ〜１５０ｍｍに拡大させて形成しているので、管路の許容排水量が高められ、各種排水設備からの排水水量が多い場合でも排水の流れを阻害せずに管路内が満管になるのを防止できるので、管路内に空気芯を確保でき、封水を引き込むことなく円滑に排水することができる。ここで、排水主管の口径を拡大する手段としては、異形エルボ、偏芯ブッシュ、又はインクリーザ等の継手部材を用いて排水主管が接続されることが好ましい。
【００１４】
また、本発明は、建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、排水主管における外周基礎の外側近傍部分と、排水桝への流入側接続部近傍部分とが、通気パイプにより連絡されていることを特徴としている。
【００１５】
この発明によれば、排水主管に通気パイプが設けられることで、外周基礎の外側から排水桝までの管路において空気が不足するのを防ぐことができ、排水が排水桝へ流れ込む管路内が満管になるような状況にあっても適正な管内圧を保って、封水の引き込みを防止することができる。
【００１６】
また、本発明は、建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、排水主管の一部を構成する継手部材が二重管構造とされたことを特徴としている。
【００１７】
この発明によれば、排水主管の一部を構成する、エルボやブッシュ等の継手部材が二重管構造として形成されることで、管路内の空気芯を確保することが可能となり、封水を引き込むのを防止することができる。
【００１８】
さらに、本発明は前記した住宅用排水システムにおいて、排水主管が、排水桝への流入水を排水桝に対して接線方向から流入させるように接続されて、流入水が排水桝内に旋回流を形成しうるように構成されてもよい。
【００１９】
このような形態で排水主管と排水桝とが接続されることで、排水桝への流入水が排水桝内において旋回流を形成し、排水桝の内壁に沿って流下することになるので、排水桝内に空気芯が形成され、封水を引き込むのを防止することができる。
【発明の効果】
【００２０】
本発明の住宅用排水システムによれば、排水桝へ接続された排水主管を流れる排水に対して、空気芯や通気路を確保することで、管路内が満管になるのを防止することができるので、排水設備に設けられた封水を排水桝側へ引き込んでしまうことがなく、円滑な排水を確保することができる。
【００２１】
また、本発明においては、建物の床下にヘッダーを配設しているので、建物の外周基礎の外側に設けられる排水桝が一つであるため排水主管と排水桝との接続高さについて制約を受けない。したがって、排水を排水桝へ流下させるための縦管路を設けなくとも、前記したような円滑な排水が可能であり、縦管路内が満管になって封水を引き込んでしまうといった弊害を回避することができる。
【発明を実施するための最良の形態】
【００２２】
以下、本発明に係る住宅用排水システムを実施するための最良の形態について、図面を参照しつつ説明する。
【００２３】
図１及び図２は、本発明の前提となる住宅の排水システム構造を示している。図示するように、建物内に設置された台所、トイレ、洗濯機、浴室などの各種の排水設備Ｗに接続された排水枝管１は、建物の床下に配設されているヘッダー２の複数の流入側接続部２１にそれぞれ接続されている。このヘッダー２により、建物内の排水設備Ｗで生じた排水を一箇所に集水して排水させる構成となっている。
【００２４】
ヘッダー２の流出側接続部２２は、９０°曲がり継手等を介して排水主管３の上流側端部に接続され、この排水主管３の下流側端部は建物の外周基礎４の外側地中に埋設された排水桝５の流入側接続部５１に接続されている。
【００２５】
また、図２に示すように、排水主管３には、外周基礎４の手前で４５°エルボＭに接続されて下方への勾配が設けられている。さらに、排水主管３が接続された排水桝５の流出側接続部には、排水を図示しない公共桝及び下水道本管に導く排水本管６が接続されている。
【００２６】
このように構成される排水システムでは、建物の外周基礎４に形成する配管用貫通孔が少なくてすみ、建物の外周基礎４の強度低下を生じることがない。また、建物の外周基礎４の外側の敷地内に埋設する排水桝５は一つであるので、狭小地にも適用できるものとなっている。
【実施例１】
【００２７】
次に、本発明に係る住宅用排水システムの実施例１について説明する。図３は、本発明の住宅用排水システムの実施例１を示す模式図である。
【００２８】
図示するように、外周基礎４の外側において、ヘッダー２の流出側接続部２２に接続された排水主管３は、排水桝５と縦管を用いずに略水平面内で接続されている。具体的には、排水主管３が、例えば硬質塩化ビニル管等のストレートパイプ３０により排水桝５に接続されて、管路が垂直方向に落とし込まれて縦管路を形成することなく、排水桝５の側面に接続されている。
【００２９】
この場合、排水桝５の流入側接続部５１は、排水桝５の底部に設けられている必要はなく、排水主管３は排水桝５の側面の、どの高さ位置に接続されてもよい。このように排水桝５への管路が形成されることで、管路内が満管になることが防止されて管路内の空気芯が確保されるので、封水を引き込むことが防がれる。
【００３０】
また、図４(a)，(b)に示すように、かかる構成の住宅用排水システムにおいて、排水主管３が排水桝５への流入水を排水桝５に対して接線方向から流入させるように排水桝５の側面に接続されていてもよい。このように排水主管３と排水桝５とを接続させることで、排水桝５への流入水は、排水桝５内に旋回流を形成して排水桝５の内壁に沿って流下するので、排水桝５内に空気芯が形成され、封水を引き込むのを防止することができる。
【実施例２】
【００３１】
次に、本発明に係る住宅用排水システムの実施例２について説明する。図５〜図７は、住宅用排水システムの実施例２を示す模式図である。
【００３２】
この住宅用排水システムでは、まず、建物の外周基礎４を貫通した排水主管３に４５°エルボ３１が接続されて水平面内で管路が曲げられている。これにより、この排水主管３を流れる排水は、４５°エルボ３１内において管路内の曲がり方向外側に管路をとるので、空気芯が確保され満管になるのが防がれる。このように管路を曲げるためのエルボは、３０°〜７０°のエルボ継手を使用することが好ましい。
【００３３】
続いて、図６に示すように、水平面内で管路を曲げたエルボ３１に、異形エルボ３２が接続されて垂直方向へ管路を曲げられている。これにより口径が拡大されるので、前記の４５°エルボ３１によって管路内で確保された空気芯を壊すことなく管路を垂直方向下向きに曲げることができる。あるいは、図７に示すように、水平面内で管路を曲げたエルボ３１に、偏芯ブッシュ３３ａが接続されて、さらに９０°エルボ３３ｂが接続されることによって、垂直方向へ管路を曲げるように構成してもよい。ここで、異形エルボ３２もしくは偏芯ブッシュ３３ａによって、口径は１００mm以上に拡大されることが好ましい。
【００３４】
そして、このように拡大及び落とし込みがなされた管路に、９０°エルボ３４が接続され、さらに水平面内で管路が曲げられて排水桝５の底部へ接続されている。
【００３５】
このような構成により排水主管３が排水桝５へ接続されることにより、排水桝５への流入水は、外周基礎４の外側で旋回方向に管路をとり、管路内に空気芯を確保したまま流れるため、封水を引き込むことが防止される。
【実施例３】
【００３６】
次に、本発明に係る住宅用排水システムの実施例３について説明する。図８〜図１０は、住宅用排水システムの実施例３を示す模式図である。
【００３７】
図８に示す住宅用排水システムでは、排水主管３が建物の外周基礎４を貫通したところで異形エルボ３５に接続されて、口径が７５ｍｍから１００ｍｍに拡大されている。そして、この排水主管３が排水桝５に接続する下流側端部３ｂにおいては、口径が１００ｍｍに形成されている。
【００３８】
図９に示す住宅用排水システムでは、排水主管３が建物の外周基礎４を貫通したところで上流側の口径が７５ｍｍ、下流側の口径が１００ｍｍの偏芯ブッシュ３６に接続されて、口径が１００ｍｍに拡大されている。そして、さらに９０°エルボ等に接続されて、排水主管３が排水桝５に接続する下流側端部３ｂにおいては、口径が１００ｍｍに形成されている。
【００３９】
また、図１０に示す住宅用排水システムでは、排水主管３が建物の外周基礎４を貫通する手前で、上流側の口径が７５ｍｍ、下流側の口径が１００ｍｍの偏芯ブッシュ３７に接続され、口径が７５ｍｍから１００ｍｍに拡大されている。そして、この排水主管３が外周基礎４を貫通して排水桝５へ接続されるまでの管路が、口径１００ｍｍに形成されている。
【００４０】
このように、排水主管３が排水桝５へ接続する前段階で、異形エルボ３５や偏芯ブッシュ３６，３７、インクリーザ等の継手部材を用いて接続され、排水主管３の排水桝５に接続する下流側端部３ｂを口径１００ｍｍ〜１５０ｍｍに拡大させて形成することで管路の許容水量を大きくして、排水水量が多い場合でも排水の流れを阻害することなく縦管路内が満管になるのを防止できるので、管路内に空気芯を確保でき、封水を引き込むことなく円滑に排水することができる。このように口径を拡大させる位置としては、例示したような排水主管３を外周基礎４に貫通させた直後の管路や、あるいは継手部材を用いて排水を下方へ落とし込む縦管路を形成している管路など、排水桝５への接続前であることが好ましい。
【実施例４】
【００４１】
次に、本発明に係る住宅用排水システムの実施例４について説明する。図１１は、住宅用排水システムの実施例４を示す模式図である。
【００４２】
この住宅用排水システムでは、建物の外周基礎４を貫通した排水主管３に、外周基礎４の外側近傍部分３ａと、排水桝５への流入側接続部３ｂの近傍部分とをバイパスする通気パイプ３８が設けられている。この通気パイプ３８は口径が２０ｍｍ以上であることが好ましい。
【００４３】
このように通気パイプ３８を設けることにより、外周基礎４の外側から排水桝５までの管路において空気が不足することを防ぎ、排水が排水桝５へ流れ込む縦管路内が満管になるような状況にあっても適正な管路内圧を保って、封水の引き込みを防止することができる。
【００４４】
また、このように管路内の空気が不足して負圧になるのを防止するために、例えば排水主管３においてエルボやブッシュ等の継手部材が二重管構造として形成されていてもよい。この場合、継手部材の上流側接続口に三日月状の通気部を設けるなど、継手部材が部分的に二重管構造とされることで、管路内の空気芯を確保することが可能となり、封水を引き込むのを防止することができるようになる。
【産業上の利用可能性】
【００４５】
この発明は、建物の床下にヘッダーを設けて各種排水設備からの排水を建物外部の排水桝へ接続させる排水システムにおいて、管路に空気芯を確保することで、排水設備の封水が引き込まれてしまう弊害を防止するために利用することができる。
【図面の簡単な説明】
【００４６】
【図１】本発明の前提となる住宅の排水システム構造を示す横断面説明図である。
【図２】本発明の前提となる住宅の排水システム構造を示す模式図である。
【図３】本発明に係る住宅用排水システムの実施例１を示す模式図である。
【図４】本発明に係る住宅用排水システムにおいて、排水桝への接続形態の２例を示す上面図である。
【図５】本発明に係る住宅用排水システムの実施例２を示す側面図である。
【図６】実施例２において異形エルボが接続された曲管路の例を示す上面図である。
【図７】実施例２において偏芯ブッシュ及び９０°エルボが接続された曲管路の例を示す上面図である。
【図８】本発明に係る住宅用排水システムの実施例３を示す模式図である。
【図９】実施例３の他の形態を示す模式図である。
【図１０】実施例３の他の形態を示す模式図である。
【図１１】本発明に係る住宅用排水システムの実施例４を示す模式図である。
【符号の説明】
【００４７】
１    排水枝管
２    ヘッダー
２１  流入側接続部
２２  流出側接続部
３    排水主管
３１  ４５°エルボ
３２  異形エルボ
３３ａ  偏芯ブッシュ
３３ｂ  ９０°エルボ
３４  ９０°エルボ
３５  異形エルボ
３６  偏芯ブッシュ
３７  偏芯ブッシュ
３８  通気パイプ
４    外周基礎
５    排水桝
５１  流入側接続部
５２  流出側接続部
６    排水本管
【図１】
2005147225.tif 000003
【図２】
2005147225.tif 000004
【図３】
2005147225.tif 000005
【図４】
2005147225.tif 000006
【図５】
2005147225.tif 000007
【図６】
2005147225.tif 000008
【図７】
2005147225.tif 000009
【図８】
2005147225.tif 000010
【図９】
2005147225.tif 000011
【図１０】
2005147225.tif 000012
【図１１】
2005147225.tif 000013